【事件の表示】
　特許第６０４９０９６号発明「紙幣などの印刷されたセキュリティ文書を製造するために印刷シートをオフライン検査および色測定する装置」の特許異議申立事件について、次のとおり決定する。
【結　論】
　特許第６０４９０９６号の特許請求の範囲を訂正請求書に添付された特許請求の範囲のとおり，訂正後の請求項〔８−１４〕，〔１６−１８〕について訂正することを認める。
　特許第６０４９０９６号の請求項１乃至７、９乃至１０、１２乃至１８に係る特許を維持する。
　特許第６０４９０９６号の請求項８及び１１に係る特許についての特許異議の申立てを却下する。
【理　由】
第１　手続の経緯
　本願は，２０１２年３月２７日（パリ条約による優先権主張外国庁受理２０１１年３月３０日，欧州特許庁）を国際出願日とする出願であって，平成２８年１２月２日にその特許権の設定登録がされたものであって，これ以降の続の経緯は以下のとおりである。
　平成２９年　６月２１日　特許異議の申立て（申立人　梅津雅由）
　平成２９年　９月１２日　取消理由通知
　平成２９年１２月１４日　意見書及び訂正請求
　平成３０年　２月２３日　意見書（申立人　梅津雅由）
第２　訂正の適否についての判断
　１　請求の趣旨及び訂正の内容
　平成３０年２月５日に提出された訂正請求書による訂正（以下「本件訂正」という。）の内容は，本件特許６０４９０９６号（以下「本件特許」という。）の願書に添付した特許請求の範囲を，訂正請求書に添付した特許請求の範囲のとおりに訂正することを求めるものである。
　そして，その訂正内容は，以下のとおりである。
　訂正事項１
　特許請求の範囲の請求項８を削除する。
　訂正事項２
　特許請求の範囲の請求項９の「請求項１乃至８の何れか一項に記載の装置（１）において」を，
　「請求項１乃至７の何れか一項に記載の装置（１）において」と訂正する。
　訂正事項３
　特許請求の範囲の請求項１１を削除する。
　訂正事項４
　特許請求の範囲の請求項１２の「請求項１乃至１１の何れか一項に記載の装置（１）において」を，
　「請求項１乃至７，９，１０の何れか一項に記載の装置（１）において」と訂正する。
　訂正事項５
　特許請求の範囲の請求項１４の「請求項１乃至１３の何れか一項に記載の装置（１）において」を，
　「請求項１乃至７，９，１０，１２，１３の何れか一項に記載の装置（１）において」と訂正する。
　訂正事項６
　特許請求の範囲の請求項１６の「請求項１乃至１５の何れか一項に記載の装置（１）において」を，
　「請求項１乃至７，９，１０，１２乃至１５の何れか一項に記載の装置（１）において」と訂正する。
　訂正事項７
　特許請求の範囲の請求項１７の「請求項１乃至１６の何れか一項に記載の装置（１）において」を，
　「請求項１乃至７，９，１０，１２乃至１６の何れか一項に記載の装置（１）において」と訂正する。
　訂正事項８
　特許請求の範囲の請求項１８の「請求項１乃至１７の何れか一項に記載の装置（１）において」を，
　「請求項１乃至７，９，１０，１２乃至１７の何れか一項に記載の装置（１）において」と訂正する。
　２　当審の判断
　（１）　訂正事項１及び３について
　訂正事項１及び３は，請求項の削除であるから，特許法第１２０条の５第２項ただし書第１号に規定する特許請求の範囲の減縮を目的とするものでもある。
　そして，請求項の削除であるから，当然に特許法第１２０条の５第９項で準用する特許法第１２６条第５項及び特許法第１２６条第６項の規定に適合するものである。
　（２）　訂正事項２及び４乃至８について
　訂正事項２及び４乃至８は，いずれも訂正事項１及び３によって削除された請求項８及び１１を引用していた訂正前の請求項の記載を，訂正事項１及び３による訂正に伴い，引用しないように訂正するものであるから，特許法第１２０条の５第２項ただし書第３号に規定する明瞭でない記載の釈明を目的とするものである。
　そして，単に引用する請求項を整理しただけであるから，当然に特許法第１２０条の５第９項で準用する特許法第１２６条第５項及び特許法第１２６条第６項の規定に適合するものである。
　（３）　特許出願の際に独立して特許を受けることができること
　本件特許についての特許異議の申立て事件では，訂正前の請求項１乃至１８について特許異議の申立ての対象とされているから，本件訂正における訂正前の請求項８乃至１８に係る訂正事項１乃至８に関して，特許法第１２０条の５第９項で読み替えて準用する同法第１２６条第７項の独立特許要件は課されない。
　３　一群の請求項等について
　訂正前の請求項８〜１０，１２〜１４，１６〜１８について，請求項９，１０，１２〜１４，１６〜１８はそれぞれ請求項８を直接的又は間接的に引用しているものであって，訂正事項１によって記載が訂正される請求項８に連動して訂正されるものである。したがって，訂正前の請求項８〜１０，１２〜１４，１６〜１８に対応する訂正後の請求項８〜１０，１２〜１４，１６〜１８は，特許法第１３４条の２第３項に規定する一群の請求項である。
　訂正前の請求項１１〜１４，１６〜１８について，請求項１２〜１４，１６〜１８はそれぞれ請求項１１を直接的又は間接的に引用しているものであって，訂正事項３によって記載が訂正される請求項１１に連動して訂正されるものである。したがって，訂正前の請求１１〜１４，１６〜１８に対応する訂正後の請求項１１〜１４，１６〜１８は，特許法第１３４条の２第３項に規定する一群の請求項である。
　そして，これらの一群の請求項は，共通する請求項１２〜１４，１６〜１８を有するものであるから，互いに組み合わされるものとなって，訂正前の請求項８〜１４，１６〜１８に対応する訂正後の請求項８〜１４，１６〜１８が，特許法第１３４条の２第３項に規定する一群の請求項となる。
　４　小括
　以上のとおりであるから，本件訂正請求による訂正は特許法第１２０条の５第２項ただし書第第１号又は３号に掲げる事項を目的とするものであり，かつ，同条第４項，及び，同条第９項において準用する同法第１２６条第４項から第６項までの規定に適合するので，訂正後の請求項８〜１４，１６〜１８について訂正を認める。
第３　特許異議の申立てについて
　１　本件発明
　本件訂正請求により訂正された請求項１乃至７，９，１０，１２乃至１８係る発明（以下，「本件発明１」，「本件発明２」などという。）は，その特許請求の範囲の請求項１乃至７，９，１０，１２乃至１８に記載された次の事項により特定されるとおりのものである。
　「【請求項１】
　紙幣などの印刷されたセキュリティ文書を製造するために印刷されたシートのオフライン検査および色測定をする装置（１）において，当該装置が：
　サンプル印刷シート（Ｓ）を支持する支持面（１０ａ）を有するコンソール（１０）と；
　多目的測定装置（２０）であって，前記サンプル印刷シート（Ｓ）の選択部分の画像を撮影する少なくとも１のカメラ（２２）と，前記サンプル印刷シート（Ｓ）の選択位置で分光測色，比色測定，および／または濃度測定を実施する測色センサ（２３）とを含む複数のセンサ（２２，２３）を具えている多目的測定装置（２０）と；
　前記カメラ（２２）によって撮影された画像および前記測色センサ（２３）によって実施された測定結果を表示するためのディスプレイ（３０）と；
　前記多目的測定装置（２０）および前記ディスプレイ（３０）に接続された制御処理ユニット（４０）とを具えており，
　当該装置（１）は，前記多目的測定装置（２０）を収容する可動センサビーム（２００）を具え，当該可動センサビーム（２００）は前記コンソール（１０）の支持面（１０ａ）の上および前記支持面（１０ａ）上に配置された前記サンプル印刷シート（Ｓ）の表面全体の上をｘ軸に沿って移動することができ，前記複数のセンサ（２２，２３）は前記可動センサビーム（２００）内をｙ軸に沿って移動可能な共通のセンサヘッド（２１）に取り付けられており，これにより，前記多目的測定装置（２０）は前記カメラ（２２）によって前記サンプル印刷シート（Ｓ）の選択部分の画像を選択的に撮影する，あるいは前記測色センサ（２３）によって前記サンプル印刷シート（Ｓ）の選択位置で測定を実施することができ，
　前記制御処理ユニット（４０）は，ｘ軸に沿った前記可動センサビーム（２００）の移動およびｙ軸に沿った前記センサヘッド（２１）の移動を制御するように構成されており，
　前記ディスプレイ（３０）が，前記サンプル印刷シート（Ｓ）の上に前記可動センサビーム（２００）および前記センサヘッド（２１）を配置するための前記制御処理ユニット（４０）の入力として機能するよう構成された接触感知領域（３１）を有するタッチスクリーン型ディスプレイであり，
　前記タッチスクリーン型ディスプレイ（３０）がさらに，前記多目的測定装置（２０）の動作を制御し，様々な動作モード間で前記多目的測定装置（２０）を切り換えるためのインタフェースとして機能するよう構成され，前記動作モードは，前記カメラ（２２）が作動して前記サンプル印刷シート（Ｓ）の選択部分の画像を撮影する少なくとも１の画像取得モードと，前記測色センサ（２３）が作動して前記サンプル印刷シート（Ｓ）の選択位置で測定を実施する少なくとも１の測色モードとを含む
ことを特徴とする装置。
【請求項２】
　請求項１に記載の装置において，前記可動センサビーム（２００）が前記支持面（１０ａ）に近接して配置された縦アームを形成し，前記可動センサビーム（２００）と前記支持面（１０ａ）の間の空間は数ミリメートルであって，
　前記支持面（１０ａ）と，その上に配置された前記サンプル印刷シート（Ｓ）に向かって前記可動センサビーム（２００）に下方開口部のみを残すように，前記センサヘッド（２１）および複数のセンサ（２２，２３）が前記可動センサビーム（２００）内に完全に囲まれていることを特徴とする装置。
【請求項３】
　紙幣などの印刷されたセキュリティ文書を製造するために印刷されたシートのオフライン検査および色測定をする装置（１）において，当該装置が：
　サンプル印刷シート（Ｓ）を支持する支持面（１０ａ）を有するコンソール（１０）と；
　多目的測定装置（２０）であって，前記サンプル印刷シート（Ｓ）の選択部分の画像を撮影する少なくとも１のカメラ（２２）と，前記サンプル印刷シート（Ｓ）の選択位置で分光測色，比色測定，および／または濃度測定を実施する測色センサ（２３）とを含む複数のセンサ（２２，２３）を具えている多目的測定装置（２０）と；
　前記カメラ（２２）によって撮影された画像および前記測色センサ（２３）によって実施された測定結果を表示するためのディスプレイ（３０）と；
　前記多目的測定装置（２０）および前記ディスプレイ（３０）に接続された制御処理ユニット（４０）とを具えており，
　当該装置（１）は，前記多目的測定装置（２０）を収容する可動センサビーム（２００）を具え，当該可動センサビーム（２００）は前記コンソール（１０）の支持面（１０ａ）の上および前記支持面（１０ａ）上に配置された前記サンプル印刷シート（Ｓ）の表面全体の上をｘ軸に沿って移動することができ，前記複数のセンサ（２２，２３）は前記可動センサビーム（２００）内をｙ軸に沿って移動可能な共通のセンサヘッド（２１）に取り付けられており，これにより，前記多目的測定装置（２０）は前記カメラ（２２）によって前記サンプル印刷シート（Ｓ）の選択部分の画像を選択的に撮影する，あるいは前記測色センサ（２３）によって前記サンプル印刷シート（Ｓ）の選択位置で測定を実施することができ，
　前記制御処理ユニット（４０）は，ｘ軸に沿った前記可動センサビーム（２００）の移動およびｙ軸に沿った前記センサヘッド（２１）の移動を制御するように構成されており，
　前記ディスプレイ（３０）が，前記サンプル印刷シート（Ｓ）の上に前記可動センサビーム（２００）および前記センサヘッド（２１）を配置するための前記制御処理ユニット（４０）の入力として機能するよう構成された接触感知領域（３１）を有するタッチスクリーン型ディスプレイであり，
　当該装置（１）が，複数の行及び列（図２）に配置された個々の多色セキュリティ印刷（Ｐ）のマトリクスからなる有効印刷領域（ＥＦ）を表すサンプル印刷シート（Ｓ）を検査するように設計されており，
　前記制御処理ユニット（４０）および前記ディスプレイ（３０）の接触感知領域（３１）は，前記タッチスクリーン型ディスプレイ上で選択すると，前記個々の多色セキュリティ印刷（Ｐ）の所望の１つまたはその任意の部分の上に前記可動センサビーム（２００）および前記センサヘッド（２１）を配置することができるように構成されていることを特徴とする装置。
【請求項４】
　請求項３に記載の装置（１）において，前記タッチスクリーン型ディスプレイ（３０）がさらに，前記多目的測定装置（２０）の動作を制御し，様々な動作モード間で前記多目的測定装置（２０）を切り換えるためのインタフェースとして機能するよう構成されており，
　前記動作モードは，前記カメラ（２２）が作動して前記サンプル印刷シート（Ｓ）の選択部分の画像を撮影する少なくとも１の画像取得モードと，前記測色センサ（２３）が作動して前記サンプル印刷シート（Ｓ）の選択位置で測定を実施する少なくとも１の測色モードとを含むことを特徴とする装置。
【請求項５】
　請求項３または４に記載の装置において，前記可動センサビーム（２００）が前記支持面（１０ａ）に近接して配置された縦アームを形成し，前記可動センサビーム（２００）と前記支持面（１０ａ）の間の空間は数ミリメートルであって，
　前記支持面（１０ａ）と，その上に配置された前記サンプル印刷シート（Ｓ）に向かって前記可動センサビーム（２００）に下方開口部のみを残すように，前記センサヘッド（２１）および複数のセンサ（２２，２３）が前記可動センサビーム（２００）内に完全に囲まれていることを特徴とする装置。
【請求項６】
　請求項１乃至５の何れか一項に記載の装置（１）において，
　前記カメラ（２２）は，白色可視光，赤外（ＩＲ）光，および紫外（ＵＶ）光の下で前記サンプル印刷シート（Ｓ）の選択部分の画像を撮影することができ，前記カメラ（２２）の動作モードは，可視光動作モード，赤外動作モード，および紫外動作モードの間で選択的に切り換えることができ（図５ｆ−５ｋ），
　前記多目的測定装置（２０）はさらに，前記カメラ（２２）の動作モードに依存して個々に作動する複数の光源（２４，２５，２６）を具え，これらの光源は，白色光で前記サンプル印刷シート（Ｓ）を照射する第１の光源（２４）と，赤外（ＩＲ）光で前記サンプル印刷シート（Ｓ）を照射する第２の光源（２５）と，紫外（ＵＶ）光で前記サンプル印刷シート（Ｓ）を照射する第３の光源（２６）とを含むことを特徴とする装置。
【請求項７】
　請求項１乃至６の何れか一項に記載の装置（１）において，前記カメラ（２２）はカラーカメラ，好適にはＲＧＢカメラであって，前記カメラ（２２）によって取り込まれた画像の色成分の各１つは任意に，前記ディスプレイ（３０）において個々にかつ別個に表示することができることを特徴とする装置。
【請求項８】
　（削除）
【請求項９】
　請求項１乃至７の何れか一項に記載の装置（１）において，前記サンプル印刷シート（Ｓ）の位置および／または回転は，前記カメラ（２２）によって初期設定段階で自動的に決定されることを特徴とする装置。
【請求項１０】
　請求項９に記載の装置（１）において，一定許容範囲内の前記サンプル印刷シート（Ｓ）の回転は，前記可動センサビーム（２００）がｘ軸に沿って移動するときに前記カメラ（２２）で撮影される画像のｙ方向位置を調整することによって補正されることを特徴とする装置。
【請求項１１】
　（削除）
【請求項１２】
　請求項１乃至７，９，１０の何れか一項に記載の装置（１）において，前記制御処理ユニット（４０）が，前記カメラ（２２）を制御し，前記サンプル印刷シート（Ｓ）上に設けられた色制御フィールド（ＣＦ）の画像を自動的に取り込んで識別するように構成されており，
　前記色制御フィールド（ＣＦ）は，印刷時に前記サンプル印刷シート（Ｓ）に適用された様々なインクを表す（図２−４および５ｃ）ことを特徴とする装置。
【請求項１３】
　請求項１２に記載の装置（１）において，前記制御処理ユニット（４０）が，前記測色センサ（２３）を制御し，前記色制御フィールド（ＣＦ）において自動で色測定を実施するように構成されていることを特徴とする装置。
【請求項１４】
　請求項１乃至７，９，１０，１２，１３の何れか一項に記載の装置（１）において，前記制御処理ユニット（４０）が，前記測色センサ（２３）を制御し，前記サンプル印刷シート（Ｓ）上に設けられた色制御フィールド（ＣＦ）において色測定を実施するように構成され，
　前記色制御フィールド（ＣＦ）は，印刷時に前記サンプル印刷シート（Ｓ）に適用された様々なインクを表しており（図２−４），
　前記サンプル印刷シート（Ｓ）および前記色制御フィールド（ＣＦ）に適用された様々なインクに対応する規定の色が，セットアップ時に予め規定されて前記制御処理ユニット（４０）に入力され，前記サンプル印刷シート（Ｓ）を印刷するのに使用された印刷機の対応するインクユニット（Ｉ１−Ｉ１２，Ｉ１３−Ｉ２０，図５ｂ）に割り当てられることを特徴とする装置。
【請求項１５】
　紙幣などの印刷されたセキュリティ文書を製造するために印刷されたシートのオフライン検査および色測定をする装置（１）において，当該装置が：
　サンプル印刷シート（Ｓ）を支持する支持面（１０ａ）を有するコンソール（１０）と；
　多目的測定装置（２０）であって，前記サンプル印刷シート（Ｓ）の選択部分の画像を撮影する少なくとも１のカメラ（２２）と，前記サンプル印刷シート（Ｓ）の選択位置で分光測色，比色測定，および／または濃度測定を実施する測色センサ（２３）とを含む複数のセンサ（２２，２３）を具えている多目的測定装置（２０）と；
　前記カメラ（２２）によって撮影された画像および前記測色センサ（２３）によって実施された測定結果を表示するためのディスプレイ（３０）と；
　前記多目的測定装置（２０）および前記ディスプレイ（３０）に接続された制御処理ユニット（４０）とを具えており，
　当該装置（１）は，前記多目的測定装置（２０）を収容する可動センサビーム（２００）を具え，当該可動センサビーム（２００）は前記コンソール（１０）の支持面（１０ａ）の上および前記支持面（１０ａ）上に配置された前記サンプル印刷シート（Ｓ）の表面全体の上をｘ軸に沿って移動することができ，前記複数のセンサ（２２，２３）は前記可動センサビーム（２００）内をｙ軸に沿って移動可能な共通のセンサヘッド（２１）に取り付けられており，これにより，前記多目的測定装置（２０）は前記カメラ（２２）によって前記サンプル印刷シート（Ｓ）の選択部分の画像を選択的に撮影する，あるいは前記測色センサ（２３）によって前記サンプル印刷シート（Ｓ）の選択位置で測定を実施することができ，
　前記制御処理ユニット（４０）は，ｘ軸に沿った前記可動センサビーム（２００）の移動およびｙ軸に沿った前記センサヘッド（２１）の移動を制御するように構成されており，
　前記制御処理ユニット（４０）が，前記測色センサ（２３）を制御し，前記サンプル印刷シート（Ｓ）上に設けられた色制御フィールド（ＣＦ）において色測定を実施するように構成され，
　前記色制御フィールド（ＣＦ）は，印刷時に前記サンプル印刷シート（Ｓ）に適用された様々なインクを表しており（図２−４），
　前記サンプル印刷シート（Ｓ）および前記色制御フィールド（ＣＦ）に適用された様々なインクに対応する規定の色が，セットアップ時に予め規定されて前記制御処理ユニット（４０）に入力され，前記サンプル印刷シート（Ｓ）を印刷するのに使用された印刷機の対応するインクユニット（Ｉ１−Ｉ１２，Ｉ１３−Ｉ２０，図５ｂ）に割り当てられ，
　前記制御処理ユニット（４０）が，前記サンプル印刷シート（Ｓ）の印刷前のデータに基づいて，あるいは前記多目的測定装置（２０）によって前記色制御フィールド（ＣＦ）に実施される測定に基づいて，前記規定の色を対応する色制御フィールド（ＣＦ）に自動的に割り当てるよう構成されていることを特徴とする装置。
【請求項１６】
　請求項１乃至７，９，１０，１２乃至１５の何れか一項に記載の装置（１）において，前記コンソール（１０）が，吸引によって前記支持面（１０ａ）に前記サンプル印刷シート（Ｓ）を保持するための複数の吸引穴（１０５）を有する吸引テーブル（１００）を具えていることを特徴とする装置。
【請求項１７】
　請求項１乃至７，９，１０，１２乃至１６の何れか一項に記載の装置（１）において，前記多目的測定装置（２０）の前記複数のセンサ（２２，２３）を較正するために，少なくとも１の較正パターン（１１０）が前記支持面（１０ａ）に設けられていることを特徴とする装置。
【請求項１８】
　請求項１乃至７，９，１０，１２乃至１７の何れか一項に記載の装置（１）において，前記測色センサ（２３）が，分光測色または比色測定を実施する分光光度計または分光比色計と，前記サンプル印刷シート（Ｓ）の光学密度測定を実施する濃度計とを兼ね備えることを特徴とする装置。」
２．取消理由の概要
　当審において通知した取消理由の要旨は，次のとおりである。
　理由１　請求項８，１１，１６乃至１８に係る特許は，その出願前日本国内において頒布された下記の引用文献に記載された発明に基いて，その出願前にその発明の属する技術の分野における通常の知識を有する者が容易に発明をすることができたものであるから，特許法第２９条第２項の規定により特許を受けることができない。
　理由２　本件出願は，明細書の記載が不備のため，特許法第３６条第４項第１号に規定する要件を満たしていない。
３　刊行物の記載
　引用文献１：特開２００８−３９７８３号公報（異議申立書における甲第１号証）
　ア「【０００７】
　本発明によると，この目的は請求項１によって達成される。本発明の有利な実施態様は，従属請求項および図面から読み取ることができる。本発明によれば，
被印刷体の色に関する測定を行う装置
　イ「【００１７】
　図１には，
移動可能な測定バー１を有する測定テーブル２
測定バー１は電気駆動装置を有しており，それにより，測定バー１は左から右へ，またはそれと逆向きに，測定テーブル２の上にある被印刷体の上方でＸ方向へ移動することができる
被印刷体３は，測定バー１の測定ヘッド８によって色に関して測定される。被印刷体３には，本来の印刷画像に並べて，下側の縁部に色測定用ストライプの形態の色測定用区画１３が塗布されている
。測定バー１の検出された色測定値はコンピュータ４へ転送され，コンピュータはこの測定値をモニタ５で操作員に対して表示する
コンピュータ４は印刷機７の機械内コンピュータと接続されており，それにより，コンピュータ４の色測定結果を印刷機７のインキ装置の色制御のためにそのまま利用することができる。印刷見本と，測定された被印刷体３との間に誤差が発見されたときは，その誤差を印刷機７のインキ装置においてしかるべく補正することができる
図１の測定装置は，側方の色測定用区画１３だけでなく，被印刷体３の印刷画像全体も認識することができ，そのために測定バー１の測定ヘッド８は，別の電気駆動装置によって側方へＹ方向に移動することができる状態である
【００１８】
　図２には，図１の測定バー１の測定ヘッド８の一例が詳しく図示されている。これにより，
測定ヘッド８が複数の測定装置９，１０，１１から構成されている
プレビューセンサ９は，明暗差を検出するための高い幾何学的解像度を有するラインセンサとして構成されている
このプレビューセンサ９によって，被印刷体３の色測定用区画１３の位置，すなわちその始まりと終わりなどを正確に認識することが可能である
分光測定装置１０は，特別に高い幾何学的解像度を有している必要はなく，その代わりに，正確な色測定値を検出できるようにするために，色に関する高い分光解像度で測定を行う
【００１９】
　さらに，図２の測定ヘッド８は，同様に，比較的高い２００ｄｐｉ（１インチ（約２．５４ｃｍ）当たり２００ドット）の幾何学的解像度で作動する，スキャン式測定装置１１を有している。この
スキャン式測定装置１１は，特に，測定バー１内にあり，色測定用区画１３がある側方領域では測定をせず，スキャナのように被印刷体３の印刷画像全体を認識する複数の測定ヘッド８を有している。このスキャン式測定装置１１は，被印刷体の多数のピクセル（画素）を同時に認識し
　引用文献１の上記記載事項を含め，引用文献１の全記載を総合すると，引用文献１には以下の事項（以下，「引用発明１」という。）が記載されていると認められる。
　「移動可能な測定バー１を有する測定テーブル２の上にある被印刷体３は，測定バー１の測定ヘッド８によって色に関して測定され，
　被印刷体３には，本来の印刷画像に並べて，下側の縁部に色測定用ストライプの形態の色測定用区画１３が塗布され，
測定バー１の検出された色測定値はコンピュータ４へ転送され，コンピュータはこの測定値をモニタ５で操作員に対して表示し，
　コンピュータ４は印刷機７の機械内コンピュータと接続されており，コンピュータ４の色測定結果を印刷機７のインキ装置の色制御のためにそのまま利用することができ，印刷見本と，測定された被印刷体３との間に誤差が発見されたときは，その誤差を印刷機７のインキ装置において補正することができるものであって，
　測定バー１は電気駆動装置を有して，測定テーブル２の上にある被印刷体の上方でＸ方向へ移動することができ，
　測定バー１の測定ヘッド８は，別の電気駆動装置によって側方へＹ方向に移動することができ，
　測定ヘッド８は，複数の測定装置９，１０，１１から構成され，
　プレビューセンサ９は，明暗差を検出するための高い幾何学的解像度を有するラインセンサとして構成されて，被印刷体３の色測定用区画１３の位置，すなわちその始まりと終わりなどを正確に認識することが可能であり，
　分光測定装置１０は，色に関する高い分光解像度で測定を行うことで，正確な色測定値を検出でき，
　スキャン式測定装置１１は，特に，測定バー１内にあり，色測定用区画１３がある側方領域では測定をせず，スキャナのように被印刷体３の印刷画像全体を認識する複数の測定ヘッド８を有し，被印刷体の多数のピクセル（画素）を同時に認識することができる被印刷体の色に関する測定を行う装置。」
　引用文献２：特開２０００−３１８１２５号公報（異議申立書における甲第３号証）
　ウ　「【００１６】図１（Ａ）は本発明の
多面付け対応カラーバーを備えた枚葉式刷版
【００１７】図１には本発明の多面付け対応カラーバーを備えた枚葉式刷版の概略の構成と単位体の構成を示してある。図の（Ａ）には絵柄８面を２段に配設した場合の構成を示し，
枚葉式刷版１３は，下段に絵柄１１を４面配設し，上段には絵柄１１とカラーバーのパッチブロック１０とを備えた単位体１２を４面配設
パッチブロック１０は，図の（Ｃ）に見るように後記する７個の色別エレメントよりなるパッチパターン１０ａを複数個連設する構成
パッチパターン１０ａの長さは後記するインキキー１５の１個分の幅にさせてある
　エ　「【００２１】図４には，図１の単位体に設けた
パッチブロックを形成するパッチパターン
夫々のパッチパターンの長さをインキキー一つ分の幅に対応させてある
【００２２】上記構成であるので，
図１の多面付け対応カラーバーを備えた枚葉式刷版により印刷した印刷紙の濃度計測と制御は，図５に示す色調管理システムを介して行なう。
色調計測管理部６０ｂで本機刷のカラーバー印刷面の色調を，該カラーバー上を走行する分光センサ６０ａによりカラーバー印刷面に形成されたインキキーと同じ幅の色別エレメントの集合体によりインキキーと同じ幅単位で各色の濃度を読取り，予め設定してあるデータと比較して偏差値を演算し，リモコンデスク６１の色調管理端末６１ａ及びインキコントローラ６１ｂとを介して，色別の各印刷機６２…に夫々設けた各インキ壷の対応するインキキーを調整して，各インキ壷のインキ元ローラのインキ汲み上げ量をインキキー幅毎に加減調整する。なお，上記分光センサ６０ａのカラーバーの読取りに際しては，走行走査する前記分光センサ６０ａにより絵柄毎に設けたパッチブロック１０の先頭位置を検出させ，対応するインキキーの位置を検出演算し夫々のインキキーによるインキ濃度の制御を可能にしている
　引用文献２の上記記載事項を含め，引用文献２の全記載を総合すると，引用文献２には以下の事項（以下，「引用発明２」という。）が記載されていると認められる。
　「多面付け対応カラーバーを備えた枚葉式刷版１３は，下段に絵柄１１を４面配設し，上段には絵柄１１とカラーバーのパッチブロック１０とを備えた単位体１２を４面配設し，
　パッチブロック１０は，７個の色別エレメントよりなるパッチパターン１０ａを複数個連設する構成とし，
　パッチブロックを形成するパッチパターンは，夫々のパッチパターンの長さをインキキー一つ分の幅に対応させ，
　色調計測管理部６０ｂで本機刷のカラーバー印刷面の色調を，該カラーバー上を走行する分光センサ６０ａによりカラーバー印刷面に形成されたインキキーと同じ幅の色別エレメントの集合体によりインキキーと同じ幅単位で各色の濃度を読取り，予め設定してあるデータと比較して偏差値を演算し，リモコンデスク６１の色調管理端末６１ａ及びインキコントローラ６１ｂとを介して，色別の各印刷機６２に夫々設けた各インキ壷の対応するインキキーを調整して，各インキ壷のインキ元ローラのインキ汲み上げ量をインキキー幅毎に加減調整する，多面付け対応カラーバーを備えた枚葉式刷版により印刷した印刷紙の濃度計測と制御を行う色調管理システム。」
　引用文献３：米国特許第７６２６７２４号明細書（異議申立書における甲第６号証）
　オ　「An auto-tracking spectrophotometer has a moveable look-ahead sensor for scanning at least a portion of a color matrix. The look-ahead sensor finds a portion of the color matrix for measurement by an optical system. The optical system for measuring the color matrix is then guided using the information provided by the look-ahead sensor.」（ABSTRACT欄全文）
　（
自動追跡分光光度計は，カラー・マトリックスの少なくとも一部を走査するための可動ルックアヘッド・センサを備えている
ルックアヘッド・センサは光学装置による測定のためにカラー・マトリックスの一部を捜し出す。そしてカラー・マトリックスを測定するための光学装置はルックアヘッド・センサにより提供される情報を利用して案内される
　カ　「Vacuum pump  28  is attached to station  26  by way of tube  30  and vacuum inlet  33 . Table  22  has vacuum holes  32 . When a graphic composition is placed on table  22 , vacuum pump  28  is energized, thus creating a means to hold the graphic composition to table  22 . The graphic composition is generally on a substrate, such as paper.」（第２欄第４１〜４６行）
　（
真空ポンプ２８は管３０及び真空入口３３によってステーション２６に取り付けられる。テーブル２２は真空孔３２を有する。グラフィック配合物がテーブル２２に配置されるときに，真空ポンプ２８は付勢されて，グラフィック配合物をテーブル２２に保持する手段を生じさせる。グラフィック配合物は通常基板，例えば紙の上にある
　キ　「After a graphic composition is placed on platen  23 , head  24  moves across the color chart and reads the color chart on the graphic composition, and transmits the information to a computer.
　FIG. 3  shows the contents of head  24 . Head  24  serves as an enclosure for various components. Various circuit boards required to operate head  24  are not shown. Arrow  41  shows the movement of the head  24  in the direction of the scan, which is referred to hereinafter as the X-direction. Head  24  includes a NCIS (non-contact image system)  40 , data acquisition optics  42 , and Y-step motor  44 . 」（第２欄第５３〜６３行）
　（
グラフィック配合物がプラテン２３に配置された後に，ヘッド２４はカラーチャートを横切って，グラフィック配合物上のカラーチャートを読取って，情報をコンピュータに送る
　図３はヘッド２４の中身を示す。ヘッド２４はさまざまな構成要素のためのエンクロージャとして役立つ。ヘッド２４を動作させるために必要とするさまざまな回路基板は示されない。矢印４１はヘッド２４の走査方向への移動を示し，それは以下「Ｘ方向」と称される
。ヘッド２４は，ＮＣＩＳ（非接触画像装置）４０，データ収集光学部品４２，およびＹステップ・モータを含む
　引用文献３の上記記載事項を含め，引用文献３の全記載を総合すると，引用文献３には以下の事項（以下，「引用発明３」という。）が記載されていると認められる。
　「カラー・マトリックスの少なくとも一部を走査するための可動ルックアヘッド・センサを備え，該ルックアヘッド・センサは光学装置による測定のためにカラー・マトリックスの一部を捜し出し，該光学装置はルックアヘッド・センサにより提供される情報を利用して案内されてカラー・マトリックスを測定し，
　通常基板，例えば紙の上にあるグラフィック配合物が，テーブル２２に配置されるときに，真空ポンプ２８は付勢されて，グラフィック配合物をテーブル２２に保持する手段を生じさせ，
　グラフィック配合物がプラテン２３に配置された後に，ヘッド２４はカラーチャートを横切って，グラフィック配合物上のカラーチャートを読取って，情報をコンピュータに送り，
　ヘッド２４は，ＮＣＩＳ（非接触画像装置）４０，データ収集光学部品４２，およびＹステップ・モータを含む自動追跡分光光度計。」
　引用文献４：特開２００７−１９３３８７号公報
　ク　「【００２２】
　
本発明のセキュリティ情報媒体読取装置１は，図１概略外観図のように，読取装置本体部２にＰＣ２０がＵＳＢケーブル７により接続した構成になっている。
　
読取装置本体部２は，遮光性筐体３内に光源として３種類のＬＥＤとＣＣＤカメラを内蔵している。
【００２３】
　電源装置６は，ＬＥＤに電力を供給するもので，レギュレータにより電圧を可変するようにされている。間欠発光させるためにはパルス発生器を使用する。いずれのＬＥＤの場合も，２０〜１１０ｍＡ程度の直流電圧が供給される。図１には，図示してないが，ＬＥＤ切替スイッチを備えることができる。
　３種類のＬＥＤとは，赤外発光ＬＥＤ，紫外発光ＬＥＤ，可視光発光ＬＥＤであり，赤外発光ＬＥＤは，赤外励起可視蛍光発光材料を発光させ，紫外発光ＬＥＤは，紫外励起可視蛍光発光材料を発光させ，可視光発光ＬＥＤは可視光により蛍光を発する蛍光発光材料を発光させる目的のためである。それぞれ所定の蛍光発光が得られるように複数個のＬＥＤが用いられる。
【００２４】
　
ＰＣ２０は，ディスプレイ（モニター）２１と画像処理機能を有する汎用的なものでよい。
ＣＣＤカメラからの画像信号は，ＵＳＢケーブル７の信号線（Ｄ＋，Ｄ−）を介してＰＣ２０に送信される。
　パソコンの電源としては，ＡＣ１００Ｖ±１０Ｖ（５０／６０Ｈｚ）が用いられる。
【００２５】
　遮光性筐体３の外形は図１のように立方体形状のものであってもよく略円筒状に形成されていてもよい。外光が入らないようにし内面は無反射性にする。下面側はセキュリティ情報媒体１０の蛍光像を観察するため，蛍光発光像を通過させる開口を有するようにされている。
複数種類のＬＥＤの先端は，下面３ｄの情報媒体１０に接触するか近接するように配列される。遮光性筐体３の内部には，蛍光像を受光して撮像するＣＣＤカメラをさらに内蔵している。
　遮光性筐体３は，鉄板やアルミニウム板等の金属材料が好適に用いられるが，遮光性のプラスチック成型体で構成することも好ましい。
【００２６】
　図１の実施形態では，遮光性筐体３の下面３ｄは，通常，観察するセキュリティ情報媒体１０に直接接触するようにするが，数ｍｍ程度の範囲内であれば，セキュリティ情報媒体１０から一定の間隔距離を置いて位置するようにしてもよい。その場合は遮光性筐体３を支持する脚部を設ける。ただし，間隔距離が，あまり大きくなる場合は，外光が多くなり蛍光発光像の視認が困難となる。
セキュリティ情報媒体１０は試料台１５に平面状に載置されて読み取りされる
　引用文献４の上記記載事項を含め，引用文献４の全記載を総合すると，引用文献４には以下の事項（以下，「引用発明４」という。）が記載されていると認められる。
　「遮光性筐体３内に光源として３種類のＬＥＤとＣＣＤカメラを内蔵した読取装置本体部２と，ディスプレイ（モニター）２１と画像処理機能を有するＰＣ２０とを備え，
　ＣＣＤカメラからの画像信号は，ＵＳＢケーブル７の信号線を介してＰＣ２０に送信され，
　セキュリティ情報媒体１０は試料台１５に平面状に載置されて読み取りされるセキュリティ情報媒体読取装置１。」
　引用文献５：特開２００２−４８７１９号公報
　ケ　「【００１０】
【発明の実施の形態】本発明では，
パスポート，紙幣等のセキュリティドキュメントたる対象物を載置したステージを暗室内に移動させながら，予め選択した波長域の光を対象物に対して照射する。
　コ　「【００１４】図１は本発明の
光学鑑定装置の外観構成を示しており，紙幣，パスポート等の対象物１をステージ１０１に載置して対象物１の画像データを光学的に取得するための光学ユニット１００と，光学ユニット１００の制御を行うと共に，光学ユニット１００からの読取データを処理演算するパソコン２００とで構成されている。パソコン２００は画像等を表示する表示部２０１と，操作部２０２としてのキーボード２０２Ａ及びマウス２０２Ｂと，記憶部２０３及び制御演算部２０４を内蔵した本体ユニット２１０とで構成されている。
　引用文献５の上記記載事項を含め，引用文献５の全記載を総合すると，引用文献４には以下の事項（以下，「引用発明５」という。）が記載されていると認められる。
　「紙幣，パスポート等のセキュリティドキュメントたる対象物１をステージ１０１に載置して対象物１の画像データを光学的に取得するための光学ユニット１００と，光学ユニット１００の制御を行うと共に，光学ユニット１００からの読取データを処理演算するパソコン２００とで構成されており，
　パソコン２００は画像等を表示する表示部２０１と，操作部２０２としてのキーボード２０２Ａ及びマウス２０２Ｂと，記憶部２０３及び制御演算部２０４を内蔵した本体ユニット２１０とで構成されている光学鑑定装置。」
　引用文献６：特開平１０−３０５５６２号公報
　サ　「【００１３】
【発明の実施の形態】以下，図面を参照して本発明による印刷物評価装置の実施形態を説明する。
図１は第１実施形態の全体的な構成を示す図である。印刷物（図示せず）を載置するための原稿台１２
原稿台１２の内部には，エアー吸着装置が内蔵され，原稿台１２の表面にあけられた多数の孔を介して印刷物は原稿台１２にエアー吸着され，固定される。
　シ　「【００４３】
【発明の効果】以上説明したように，本発明によれば，
測定点を座標入力し，測定器を用いて基準印刷物と評価対象印刷物との測定値を比較する印刷物評価装置
　引用文献６の上記記載事項を含め，引用文献６の全記載を総合すると，引用文献６には以下の事項（以下，「引用発明６」という。）が記載されていると認められる。
　「測定点を座標入力し，測定器を用いて基準印刷物と評価対象印刷物との測定値を比較する印刷物評価装置における，印刷物を載置するための原稿台１２であって，
内部には，エアー吸着装置が内蔵され，原稿台１２の表面にあけられた多数の孔を介して印刷物は原稿台１２にエアー吸着され，固定される印刷物評価装置。」
　引用文献７：特開平１１−３２６０５６号公報
　ス　「【００４１】
計測ヘッド７上には，濃度計，色度計または分光光度計が搭載され
記録ドラム１上に巻き付けられているプリント画像の任意の位置（座標：（Ｘ，Ｙ））を指定でき，その点の濃度および／または色度を測定することができる。
カラープルーファでは，計測ヘッド７には，分光光度計７１（図３等参照）が搭載されていて，分光光度計７１により測定された分光反射率Ｒ（λ）に基づいて濃度データおよび色度データが計算される
　引用文献７の上記記載事項を含め，引用文献７の全記載を総合すると，引用文献７には以下の事項（以下，「引用発明７」という。）が記載されていると認められる。
　「記録ドラム１上に巻き付けられているプリント画像の任意の位置（座標：（Ｘ，Ｙ））を指定でき，その点の濃度および／または色度を測定するための計測ヘッド７上には濃度計，色度計または分光光度計が搭載されており，測定された分光反射率Ｒ（λ）に基づいて濃度データおよび色度データが計算されるカラープルーファ。」
　引用文献８：特表２００９−５３１２０２号公報
　セ　「【００３１】
　
第１の測定装置２２は，
濃度測定および比色測定に関するコンビ型測定器具として形成されていて，たとえば印刷機に属する中央の制御スタンド２７に提供可能である
第１の測定装置２２によって検出される少なくとも１つの測定値，つまり特定の測定値，たとえば特定のインキの，被印刷物２１に被着された層厚または色相に関する，検出される実際値に基づいて，測定値に関する目標値で調整して，印刷機によって生産しようとする印刷の品質が評価される。評価しようとするシート２１の検査は，シートに印刷された印刷像，または少なくとも印刷像に属する測定帯（Messbalken）に関係しており，この場合測定帯は，たとえば印刷像の外側でシート２１の縁に配置されている
第１の測定装置２２で検出される実際値が，測定値に関して予め規定された許容範囲よりも，所望の目標値から大きくずれる場合，印刷機の少なくとも１つの印刷装置０１；０２；０３；０４；０６のインキ装置１６における調節は次のように変化され，つまり，インキ装置１６における調節を変化したあとで印刷されるシート２１で求められる実際値が，先行して行われた測定における実際値よりも良好に，測定値に関して設定された目標値と一致するように変化される。
印刷前段階２８の計算機によって，第１の測定装置２２で検出される測定値に関する目標値が提供される
　引用文献８の上記記載事項を含め，引用文献８の全記載を総合すると，引用文献８には以下の事項（以下，「引用発明８」という。）が記載されていると認められる。
　「印刷機に属する中央の制御スタンド２７に提供可能である第１の測定装置２２は，濃度測定および比色測定に関するコンビ型測定器具として形成され，評価しようとするシート２１の検査は，印刷像の外側でシート２１の縁に配置されている印刷像に属する測定帯（Messbalken）に関係し，特定のインキの，被印刷物２１に被着された層厚または色相に関する，検出される実際値に基づいて，測定値に関する目標値で調整して，印刷機によって生産しようとする印刷の品質が評価されるものであって，該実際値が，測定値に関して予め規定された許容範囲よりも，所望の目標値から大きくずれる場合，印刷機の少なくとも１つの印刷装置０１；０２；０３；０４；０６のインキ装置１６における調節は，インキ装置１６における調節を変化したあとで印刷されるシート２１で求められる実際値が，先行して行われた測定における実際値よりも良好に，測定値に関して設定された目標値と一致するように変化され，印刷前段階２８の計算機によって，第１の測定装置２２で検出される測定値に関する目標値が提供される印刷機。」
　また，甲第２，４及び５号証には以下の記載がある。，
　甲第２号証（特開２０１０−６４４２２号公報）
　ソ　「【００１９】
　以下，本発明に係る実施の形態について図面を参照しながら説明する。
図１は，本発明の印刷機１を示し，この印刷機１は，基本の４色であるシアン色（Ｃ），マゼンタ色（Ｍ），イエロー色（Ｙ），ブラック色（Ｂｋ）の４色刷りが行えるように構成され，給紙部２，印刷部３及び排紙部４を備えている。
　タ「【００２２】
　前記印刷用圧胴のうちの
印刷用紙の搬送方向終端に位置する印刷用圧胴７Ｄ上に，撮像装置であるＣＣＤカメラ９と，分光測色計を内部に備えた分光ユニット１０とを配置して，カラーバー内のカラーパッチの色濃度を測定する色濃度測定装置を構成している
【００２３】
　前記
ＣＣＤカメラ９は
印刷用紙の全領域を撮像して，全てのカラーパッチの相対的な色濃度を測定するものである
分光測色計は，各カラーパッチの絶対的な色を測定できる高精度な色測定器であり
【００２４】
　前記
分光ユニット１０は，図２に示すように，リニアアクチュエータ１１により印刷用紙の幅方向に（印刷用圧胴７Ｄの幅方向全域に渡って）移動自在に構成され，リニアアクチュエータ１１を駆動することによって，搬送されてくる印刷用紙に印刷されているカラーバーを構成する全て又は特定の複数の基本カラーパッチの色測定を順次行えるように構成している。
　タ　「【００３５】
　前記
ＲＧＢデータから計算した濃度値を前記分光測色データの濃度値に合わせ込んで（ステップＳ２９），濃度の合わせ込み制御が完了する。前述したように，ＣＣＤカメラ９の濃度値を高精度な分光測色計の濃度値に合うように補正する
　チ　「【００３８】
　重要キー管理を行う工程は，
ＣＣＤカメラ９からの撮像情報に基づいてカラーバーの位置を検出し（ステップＳ６），印刷用紙の色管理を行う上で重要箇所となる特定領域に印刷された画像の特定色に対応するインキツボキー位置のカラーバー（カラーパッチ）へ位置するように分光ユニット１０の測定ヘッドを左右方向に移動させる（ステップＳ７）。
重要箇所となるインキツボキー位置のカラーパッチのベタ濃度値及びグレーパッチのＬａｂ値を実測する
これら２つの実測値と前記予め定めた２つの目標値との色差が前記設定した許容範囲内にあるかどうかを判断する
【００３９】
　前記色差が許容範囲内にあれば，現時点の目標値や条件を維持して印刷用紙管理（色管理）を継続し（ステップＳ１１），印刷が終了したかどうかを判断し（ステップＳ１２），
印刷が終了するまでＣＣＤカメラ９により撮像される色データが目標値になるようにインキ量を調整しながら印刷を続行する
　ツ　「【００４１】
　前記通常管理を行う工程は，ＣＣＤカメラ９により撮像されたＲＧＢデータを濃度変換して，色データ（濃度データ）を取得し，その色データが目標値になるようにインキ量を調整する（ステップＳ１３）。調整後は，前述同様に，現時点の目標値や条件を維持して印刷用紙管理を継続し（ステップＳ１１）し，印刷が終了したかどうかを判断し（ステップＳ１２），印刷が終了するまでＣＣＤカメラ９により撮像される色データが目標値になるようにインキ量を調整しながら印刷を続行し（ステップＳ１３），印刷が終了するまで行われる。」
　甲第２号証における上記記載事項を含め，甲第２号証の全記載を総合すると，甲第２号証には以下の事項（以下，「甲２発明」という。）が記載されていると認められる。
　「シアン色（Ｃ），マゼンタ色（Ｍ），イエロー色（Ｙ），ブラック色（Ｂｋ）の４色刷りが行える，給紙部２，印刷部３及び排紙部４を備えた印刷機１であって，
　印刷用紙の搬送方向終端に位置する印刷用圧胴７Ｄ上に，撮像装置であるＣＣＤカメラ９と，分光測色計を内部に備えた分光ユニット１０とを配置して，カラーバー内のカラーパッチの色濃度を測定する色濃度測定装置を構成し，
　ＣＣＤカメラ９は，印刷用紙の全領域を撮像して，全てのカラーパッチの相対的な色濃度を測定するものであり，分光測色計は，各カラーパッチの絶対的な色を測定できる高精度な色測定器であって，
　分光ユニット１０は，リニアアクチュエータ１１により印刷用紙の幅方向に移動自在に構成され，搬送されてくる印刷用紙に印刷されているカラーバーを構成する全て又は特定の複数の基本カラーパッチの色測定を順次行い，
　ＲＧＢデータから計算した濃度値を前記分光測色データの濃度値に合わせ込んで，濃度の合わせ込み制御が完了し，　　
　ＣＣＤカメラ９からの撮像情報に基づいてカラーバーの位置を検出し，印刷用紙の色管理を行う上で重要箇所となる特定領域に印刷された画像の特定色に対応するインキツボキー位置のカラーバー（カラーパッチ）へ位置するように分光ユニット１０の測定ヘッドを左右方向に移動させ，重要箇所となるインキツボキー位置のカラーパッチのベタ濃度値及びグレーパッチのＬａｂ値を実測して，これら２つの実測値と予め定めた２つの目標値との色差が前記設定した許容範囲内にあるかどうかを判断し，印刷が終了するまでＣＣＤカメラ９により撮像される色データが目標値になるようにインキ量を調整しながら印刷を続行する印刷機１。」
　甲第４号証（特開２００６−６８９４８号公報）
　テ　「【００３８】
　本実施形態の
新聞用オフセット輪転機は，最下流の印刷ユニット２ｄのさらに下流にラインセンサ型ＩＲＧＢ濃度計１を備えている。ラインセンサ型ＩＲＧＢ濃度計１は印刷シート８上の絵柄の色を印刷幅方向ライン状にＩ（赤外光），Ｒ（赤），Ｇ（緑），Ｂ（青）の反射濃度（混色網濃度）として計測する計測器であり
【００３９】
　
ラインセンサ型ＩＲＧＢ濃度計１により計測された反射濃度は演算装置１０に送信される。演算装置１０はインキ供給量の制御データを演算する装置であり，ラインセンサ型ＩＲＧＢ濃度計１で計測された反射濃度に基づいて演算を行い，印刷シート８の絵柄の色を目標色に一致させるためのインキキー７の開度を演算している。
【００４０】
　
演算装置１０は，印刷機とは離れて設置されたＤＳＰ（ディジタル・シグナル・プロセッサ）１１とＰＣ（パソコン）１２とから構成され，ＰＣ１２には色変換部１４，インキ供給量演算部１５，オンライン制御部１６及びキー開度リミッタ演算部１７としての機能が割り当てられている。
演算装置１０には，紙面に対する印刷絵柄を表示する表示装置（印刷エリアモニタ）が接続されており，この印刷エリアモニタ４０がタッチパネルとしての機能も持っている。このタッチパネル４０により，ラインセンサ型ＩＲＧＢ濃度計１で撮像された印刷シート８の印刷面が表示され，印刷面上の任意の領域を指で選択できるようになっている。
　ト　「【００４９】
　ステップＳ３１２では，インキ供給単位幅毎に各インキ色に対応する注目点をそれぞれ設定する。注目点の設定方法としては，新聞社の本社から送信されたビットマップデータを用いてタッチパネル４０に新聞紙面の絵柄画像を表示し，このタッチパネル４０に表示された新聞紙面上の特定点をオペレータが任意に選択する方法がある。また，各色・各画素の網点面積率に対して最も自己相関が大きい画素を演算して自動抽出し，注目点（注目画素）として自動設定する方法もある。具体的には，例えば，シアンの自己相関感度Ｈｃは，画素面積率データ（ｃ，ｍ，ｙ，ｋ）を用いて，“Ｈｃ＝ｃ２／（ｃ＋ｍ＋ｙ＋ｋ）”で表すことができ，この自己相関感度Ｈｃの値が最も高い画素がシアンの注目点となる。同様に他のインキ色についても自己相関感度が最も高い画素を演算し，その画素を注目点として設定する。」
　ナ「【００５１】
　ＤＳＰ１１は，ステップＳ２０として，各画素の反射光量ｉ’，ｒ’，ｇ’，ｂ’について所定の印刷枚数単位で移動平均を行うことで，ノイズ成分を除去した各画素の反射光量ｉ，ｒ，ｇ，ｂを算出する。
　そして，ステップＳ３０として，ステップＳ２０で演算された各画素の反射光量ｉ，ｒ，ｇ，ｂを用いて注目点の実混色網濃度Ｉ，Ｒ，Ｇ，Ｂを演算する。ＤＳＰ１１はタッチパネル４０に接続されており，タッチパネル４０には製版データの絵柄画像（製版画像）が表示される。注目点はこのタッチパネル４０に表示された製版画像上の特定点を任意に選択することで指定され，演算装置１０のＤＳＰ１１へ入力される。注目点とは印刷シート８上の特に色を一致させたい絵柄の位置であり，特定の一画素，或いは，連続する一塊の複数画素を指定する。オペレータにより注目点が指定されていないキーゾーンについては，ＤＳＰ１１が注目点を自動設定する。この自動設定は，製版画像全体の各インキ色の混色網濃度の分布から，インキ色毎に最も濃度感度の高い画素（最も発色の大きい画素）を演算して自動抽出することにより行う。例えば，キーゾーン絵柄が４色で印刷されている場合，注目点（目標色）は墨，藍，紅，黄の４点となり，キーゾーン内において，その４色が独立にコントロールされることになる。また，例えばオペレータが指定した任意の絵柄ポイント中に無い色及び絵柄面積の少ない色は自動で設定することも出来る。」
　ニ　「【００７３】
　つまり，図９（ｂ）に示すように，
製版データの印刷画像枠外の予め設定された位置に位置ズレ検出用の見当マークを予め書き込んでおき刷版を作成し，この刷版を用いて印刷を行なう印刷機の例えば濃度計１の近傍の予め設定された位置に，図９（ｃ）に示すように，この見当マークを検出するセンサとして，見当マークを中心にその近傍をスポット的に撮影するカメラ７０を印刷面に接近させて設置する。
　甲第４号証における上記記載事項を含め，甲第４号証の全記載を総合すると，甲第４号証には以下の事項（以下，「甲４発明」という。）が記載されていると認められる。
　「最下流の印刷ユニット２ｄのさらに下流にラインセンサ型ＩＲＧＢ濃度計１を備えている新聞用オフセット輪転機であって，ラインセンサ型ＩＲＧＢ濃度計１は印刷シート８上の絵柄の色を印刷幅方向ライン状にＩ（赤外光），Ｒ（赤），Ｇ（緑），Ｂ（青）の反射濃度（混色網濃度）として計測する計測器であり，
　該ラインセンサ型ＩＲＧＢ濃度計１により計測された反射濃度からインキ供給量の制御データを演算して，印刷シート８の絵柄の色を目標色に一致させるためのインキキー７の開度を演算する演算装置１０は，印刷機とは離れて設置されたＤＳＰ（ディジタル・シグナル・プロセッサ）１１とＰＣ（パソコン）１２とから構成され，ＰＣ１２には色変換部１４，インキ供給量演算部１５，オンライン制御部１６及びキー開度リミッタ演算部１７としての機能が割り当てられ，
　また，演算装置１０には，タッチパネルとしての機能を有する紙面に対する印刷絵柄を表示する印刷エリアモニタ４が接続され，該印刷エリアモニタ４０ラインセンサ型ＩＲＧＢ濃度計１で撮像された印刷シート８の印刷面が表示され，印刷面上の任意の領域を指で選択できるようになっており，
　製版データの印刷画像枠外の予め設定された位置に位置ズレ検出用の見当マークを予め書き込んでおき刷版を作成し，この刷版を用いて印刷を行なう印刷機の濃度計１の近傍の予め設定された位置に，この見当マークを検出するセンサとして，見当マークを中心にその近傍をスポット的に撮影するカメラ７０を印刷面に接近させて設置する新聞用オフセット輪転機。」
　甲第５号証（米国特許出願公開第２００９／０１０７３５４号明細書）
　ヌ　「the operating desk  1  has an operating element in the form of a touchscreen  11 , with which settings on the printing press  2  can be carried out. The touchscreen  11  is connected to the control computer  15 , which in turn is connected to control components of the printing press  2  through a communications link  3 .」（[0026]欄内第１６〜２１行）
　（
操作卓１は，タッチスクリーン１１の形式の操作要素を持っており，その操作要素を用いて，印刷機２でのセッティングを実行できる。タッチスクリーン１１は制御コンピュータ１５に接続され，さらに，制御コンピュータ１５が，通信リンク３を介して，印刷機２の制御構成要素に接続される。
　ネ　「The position of the sheet brakes  12  can be set at the touchscreen  11  of the operating desk  1 . A relative position of the sheet brakes  12  or other components with respect to the sheet-shaped printing material  9  and/or a printed image  13  on the printing material  9 , can then be represented on the large monitor  10 . 」（[0027]欄内第１４〜１９行）
　（
シート・ブレーキ１２の位置は，操作卓１のタッチスクリーン１１にてセットできる。次に，シート状の印刷材料９および／または，印刷材料９上の印刷画像１３に対して，シート・ブレーキ１２または他の構成要素の相対的位置は，大型モニタ１０上に表現できる。
　ノ　「a representation of ink distribution and a result of an influence of lateral distribution in inking units of the printing units  4  in the printing press  2  can be represented on the large monitor  10 .」（[0031]欄内下から第９〜６行）
　（
インキ分布の表現と，印刷機２内の印刷ユニット４のインカーでの側方分布の影響の結果が，大型モニタ１０上に表示されることもある。
　甲第５号証における上記記載事項を含め，甲第５号証の全記載を総合すると，甲第５号証には以下の事項（以下，「甲５発明」という。）が記載されていると認められる。
　「タッチスクリーン１１の形式の操作要素を持っている操作卓１は，その操作要素を用いて，印刷機２でのセッティングを実行し，
　タッチスクリーン１１は，通信リンク３を介して，印刷機２の制御構成要素に接続される制御コンピュータ１５に接続され，
　シート・ブレーキ１２の位置は，操作卓１のタッチスクリーン１１にてセットでき，シート状の印刷材料９および／または，印刷材料９上の印刷画像１３に対して，シート・ブレーキ１２または他の構成要素の相対的位置は，大型モニタ１０上に表現でき，
　インキ分布の表現と，印刷機２内の印刷ユニット４のインカーでの側方分布の影響の結果が，大型モニタ１０上に表示される印刷機２。」
４．判断
　（１）取消理由通知に記載した取消理由について
　ア　理由１について（特許法第２９条第２項）
　取消理由の理由１は，請求項８，１１，１６乃至１８に対して通知されたものであるが，平成２９年１２月１４日付け訂正請求により，請求項８，１１が削除され，請求項１６乃至１８が，いずれも請求項１を引用していることから，事案に鑑み，まず，本件発明１と引用発明１とを対比し、その上で、請求項１６乃至１８について判断することとする。
　後者の「被印刷体３」は色に関して測定されるのであるから，前者の「サンプル印刷シート（Ｓ）」に相当する。
　後者の「測定テーブル２」は，その上に色に関して測定される被印刷体３を載置するのであるから，前者の「コンソール（１０）」に相当し，後者の「測定テーブル２」は，前者の「支持面（１０ａ）」に相当する構成を有していることは自明である。
　後者の「測定バー１」は，測定テーブル２の上にある被印刷体の上方でＸ方向へ移動することができるから，前者の「可動センサビーム（２００）」に相当する。
　後者の「測定ヘッド８」は，測定バー１に設けられ，色に関する測定を行うものであるから，前者の「多目的測定装置（２０）」に相当する。
　また，後者の「測定ヘッド８」は，Ｙ方向に移動することができるから，前者の「センサヘッド（２１）」にも相当する。
　後者の「スキャン式測定装置１１」は，スキャナのように被印刷体３の印刷画像全体を認識するものであるから，前者の「（選択部分の画像を撮影する少なくとも１の）カメラ（２２）」に相当する。
　後者の「プレビューセンサ９」は，「明暗差を検出するための高い幾何学的解像度を有するラインセンサとして構成されて，被印刷体３の色測定用区画１３の位置，すなわちその始まりと終わりなどを正確に認識する」ことが可能であり，「分光測定装置１０」は，「色に関する高い分光解像度で測定を行うことで，正確な色測定値を検出」するものであるから，後者の「プレビューセンサ９」及び「分光測定装置１０」は前者の「る測色センサ（２３）」に相当する。
　後者の「モニタ５」は，前者の「ディスプレイ（３０）」に相当する。
　後者の「コンピュータ４」は，前者の「制御処理ユニット（４０）」に相当する。
　後者の「被印刷体３の色測定用区画１３」は，前者の「サンプル印刷シート（Ｓ）の選択部分」に相当する。
　後者の「装置」は，測定テーブル２の上にある被印刷体３を測定しているから，オフライン検査を行っていることは自明であり，該測定は色に関する測定であるから，後者の「装置」は，，前者の「装置」に相当する。
　　以上のことより，両者は，
〈一致点〉
　「印刷されたシートのオフライン検査および色測定をする装置において，当該装置が：
　サンプル印刷シート（Ｓ）を支持する支持面（１０ａ）を有するコンソール（１０）と；
　多目的測定装置（２０）であって，前記サンプル印刷シート（Ｓ）の選択部分の画像を撮影する少なくとも１のカメラ（２２）と，前記サンプル印刷シート（Ｓ）の選択位置で分光測色，比色測定，および／または濃度測定を実施する測色センサ（２３）とを含む複数のセンサ（２２，２３）を具えている多目的測定装置（２０）と；
　前記カメラ（２２）によって撮影された画像および前記測色センサ（２３）によって実施された測定結果を表示するためのディスプレイ（３０）と；
　前記多目的測定装置（２０）および前記ディスプレイ（３０）に接続された制御処理ユニット（４０）とを具えており，
　当該装置（１）は，前記多目的測定装置（２０）を収容する可動センサビーム（２００）を具え，当該可動センサビーム（２００）は前記コンソール（１０）の支持面（１０ａ）の上および前記支持面（１０ａ）上に配置された前記サンプル印刷シート（Ｓ）の表面全体の上をｘ軸に沿って移動することができ，前記複数のセンサ（２２，２３）は前記可動センサビーム（２００）内をｙ軸に沿って移動可能な共通のセンサヘッド（２１）に取り付けられており，これにより，前記多目的測定装置（２０）は前記カメラ（２２）によって前記サンプル印刷シート（Ｓ）の選択部分の画像を選択的に撮影する，あるいは前記測色センサ（２３）によって前記サンプル印刷シート（Ｓ）の選択位置で測定を実施することができ，
　前記制御処理ユニット（４０）は，ｘ軸に沿った前記可動センサビーム（２００）の移動およびｙ軸に沿った前記センサヘッド（２１）の移動を制御するように構成されており，
　前記カメラ（２２）が作動して前記サンプル印刷シート（Ｓ）の選択部分の画像を撮影する少なくとも１の画像取得モードと，前記測色センサ（２３）が作動して前記サンプル印刷シート（Ｓ）の選択位置で測定を実施する少なくとも１の測色モードとを含む装置。」
　で一致し，以下の点で相違している。
＜相違点＞
　相違点１
　本件発明１は「紙幣などの印刷されたセキュリティ文書」を測定対象としているのに対して，引用発明１では，どのような文書（被印刷体）であるのかが不明な点。
　相違点２
　本件発明１のディスプレイが，「サンプル印刷シートの上に可動センサビームおよびセンサヘッドを配置するための制御処理ユニットの入力として機能するよう構成された接触感知領域を有するタッチスクリーン型ディスプレイ」であるのに対して，引用発明１のモニタ５は少なくとも「タッチスクリーン型ディスプレイ」ではない点。
　相違点３
　本件発明１のディスプレイがタッチスクリーン型ディスプレイであることに起因して，本件発明１のタッチスクリーン型ディスプレイが，「多目的測定装置の動作を制御し，様々な動作モード間で前記多目的測定装置を切り換えるためのインタフェースとして機能するよう構成され，前記動作モードは，カメラが作動してサンプル印刷シートの選択部分の画像を撮影する少なくとも１の画像取得モードと，測色センサが作動して前記サンプル印刷シートの選択位置で測定を実施する少なくとも１の測色モードとを含」んでいるのに対して，引用発明１ではそうではない点。
　上記相違点について検討する。
　事案に鑑み，相違点３について検討する。
　引用文献２乃至８において，「タッチスクリーン型ディスプレイ（を有するシートのオフライン検査および色測定をする装置）」について記載も示唆もされていないから，当然に相違点３に係る本件発明１の発明特定事項についても記載も示唆もない。
　また，甲２号証には，印刷機における入力デバイスとしての「タッチスクリーン型ディスプレイ」について記載も示唆もないから，当然に相違点３に係る本件発明１の発明特定事項についても記載も示唆もなく，甲４，５号証において，印刷機における入力デバイスとして「タッチスクリーン型ディスプレイ」は記載されているものの，相違点３に係る本件発明１の発明特定事項については記載も示唆もない。
　そして，相違点３に係る本件発明１の発明特定事項は，本願出願前において周知技術であるともいえないし，当業者にとって設計的事項とする根拠もない。
　そして，本件発明１は，相違点３に係る本件発明１の発明特定事項を備えることによって，「「ユーザは，例えば第１オブジェクト２３が縦通路２０に沿って移動している間に，表示部１２に触れたまま指を比較的短い距離だけ動かすことによって，第１オブジェクト２３が他の横通路１９ｂまで移動した後に第１オブジェクト２３をＸｗ軸に沿った任意の方向に移動可能」となり「移動ユーザ操作の煩雑さが低減する」」（段落【００３１】）との作用効果を奏するものである。
　したがって，他の相違点について検討するまでもなく，請求項１に係る発明は，引用文献１乃至８に記載された各引用発明，また甲２，４及び５号証に記載された発明に基いて当業者が容易に発明をすることができたものではなく，請求項１に係る特許は特許法第２９条第２項の規定に違反してされたものではない。
　また，請求項１６乃至１８はいずれも，本件発明１である請求項１に係る発明を引用しており，本件発明１が引用発明に基いて当業者が容易に発明をすることができたものではない以上，本件発明１に新たな発明特定事項を付加して限定した請求項１６乃至１８に係る係る特許も，特許法第２９条第２項の規定に違反してされたものではない。
　請求項８及び１１については，平成２９年１２月１４日付け訂正請求による訂正のとおり，削除された。
　イ　理由２について（特許法第３６条第４項第１号）
　（ア）　請求項９について，異議申立人は「前記サンプル印刷シート（Ｓ）の位置および／または回転をどのように検出するか」について，当業者がその実施をすることができる程度に明確かつ十分に記載したものではないと主張している。
　しかしながら，平成２９年１２月１４日付け意見書で特許権者が主張するように，本件の発明の詳細な説明の段落【００４６】，【００８６】，【００８７】の各記載，及び当業者における技術常識を踏まえれば，「サンプル印刷シート（Ｓ）の位置および／または回転の検出」に関して，当業者がその実施をすることができる程度に明確かつ十分に記載されていると認められる。
　したがって，本件発明９は，特許法第３６条第４項第１号に規定する要件を満たしている。
　（イ）　請求項１０について，異議申立人は「前記サンプル印刷シート（Ｓ）の回転をどのように検出するか」について，当業者がその実施をすることができる程度に明確かつ十分に記載したものではないと主張している。
　しかしながら，平成２９年１２月１４日付け意見書で特許権者が主張するように，本件の発明の詳細な説明の段落【００８８】の記載，及び当業者における技術常識を踏まえれば，「サンプル印刷シート（Ｓ）の回転の検出」に関して，当業者がその実施をすることができる程度に明確かつ十分に記載されていると認められる。
　したがって，本件発明１０は，特許法第３６条第４項第１号に規定する要件を満たしている。
　（ウ）　請求項１２について，異議申立人は「自動的に取り込んだ色制御フィールド（ＣＦ）の画像の何を識別し，かつ識別を具体的にどのような方法で行うのか」ついて，当業者がその実施をすることができる程度に明確かつ十分に記載したものではないと主張している。
　しかしながら，平成２９年１２月１４日付け意見書で特許権者が主張するように，本件の発明の詳細な説明の段落【００９１】，【００９２】，【００９３】の各記載，及び当業者における技術常識を踏まえれば，「自動的に取り込んだ色制御フィールド（ＣＦ）の画像の識別対象」及び「識別の具体的な方法」に関して，当業者がその実施をすることができる程度に明確かつ十分に記載されていると認められる。
　したがって，本件発明１２は，特許法第３６条第４項第１号に規定する要件を満たしている。
　また，本件発明１２が，特許法第３６条第４項第１号に規定する要件を満たしていることから，同様に請求項１２を引用する請求項１３に係る本件発明１３も，特許法第３６条第４項第１号に規定する要件を満たすものである。
　（エ）　請求項１４について，異議申立人は「サンプル印刷シート（Ｓ）を印刷するのに使用された印刷機の対応するインクユニット（Ｉ１−Ｉ１２，Ｉ１３−Ｉ２０，図５ｂ）をどのように割り当てられるか」について，当業者がその実施をすることができる程度に明確かつ十分に記載したものではないと主張している。
　しかしながら，平成２９年１２月１４日付け意見書で特許権者が主張するように，本件の発明の詳細な説明の段落【００８９】の記載，及び当業者における技術常識を踏まえれば，「サンプル印刷シート（Ｓ）を印刷するのに使用された印刷機の対応するインクユニット（Ｉ１−Ｉ１２，Ｉ１３−Ｉ２０，図５ｂ）の割り当て」に関して，当業者がその実施をすることができる程度に明確かつ十分に記載されていると認められる。
　したがって，本件発明１４は，特許法第３６条第４項第１号に規定する要件を満たしている。
　（オ）　請求項１５について，異議申立人は「印刷機の対応するインクユニット（Ｉ１−Ｉ１２，Ｉ１３−Ｉ２０，図５ｂ）をどのように割り当てられるか」及び「規定の色を対応する色制御フィールド（ＣＦ）に自動的にどのように割り当てるのか」について，当業者がその実施をすることができる程度に明確かつ十分に記載したものではないと主張している。
　しかしながら，平成２９年１２月１４日付け意見書で特許権者が主張するように，本件の発明の詳細な説明の段落【００９２】の記載，及び当業者における技術常識を踏まえれば，「印刷機の対応するインクユニット（Ｉ１−Ｉ１２，Ｉ１３−Ｉ２０，図５ｂ）の割り当て」及び「規定の色を対応する色制御フィールド（ＣＦ）への自動的な割り当て」に関して，当業者がその実施をすることができる程度に明確かつ十分に記載されていると認められる。
　したがって，本件発明１５は，特許法第３６条第４項第１号に規定する要件を満たしている。
　よって，請求項９，１０及び１２乃至１５に係る特許は，特許法第３６条第４項第１号に規定する要件を満たしていない特許出願に対してされたものではない。
　５　取消理由通知において採用しなかった特許異議申立理由について
　特許異議申立人梅津雅由は，訂正前の特許請求の範囲に関し，特許異議申立書において，本件特許発明１乃至８，１１，１６乃至１８は甲第１乃至６号証に記載の発明に基づいて当業者が容易に発明できたものと主張している。
　そして，取消理由を通知した本件特許発明８，１１，１６乃至１８以外の本件特許発明１乃至７について，以下に検討する。
　請求項１に係る発明である本件発明１は，「４．判断　（１）取消理由通知に記載した取消理由について　ア　理由１について（特許法第２９条第２項）」で検討したとおり，引用文献１乃至８に記載された各引用発明，また甲２，４及び５号証に記載された発明に基いて当業者が容易に発明をすることができたものではなく，請求項１に係る特許は特許法第２９条第２項の規定に違反してされたものではない。
　また，請求項２，６及び７はいずれも，本件発明１である請求項１に係る発明を引用しており，上述のとおり，本件発明１が引用文献１乃至８に記載された各引用発明，また甲２，４及び５号証に記載された発明に基いて当業者が容易に発明をすることができたものではなく，請求項１に係る特許は特許法第２９条第２項の規定に違反してされたものではない。以上，本件発明１に新たな発明特定事項を付加して限定した請求項２，６及び７に係る特許も，特許法第２９条第２項の規定に違反してされたものではない。
　請求項３について検討する。
　請求項３は，請求項１の「前記タッチスクリーン型ディスプレイ（３０）がさらに，前記多目的測定装置（２０）の動作を制御し，様々な動作モード間で前記多目的測定装置（２０）を切り換えるためのインタフェースとして機能するよう構成され，前記動作モードは，前記カメラ（２２）が作動して前記サンプル印刷シート（Ｓ）の選択部分の画像を撮影する少なくとも１の画像取得モードと，前記測色センサ（２３）が作動して前記サンプル印刷シート（Ｓ）の選択位置で測定を実施する少なくとも１の測色モードとを含む」の部分が，
　「当該装置（１）が，複数の行及び列（図２）に配置された個々の多色セキュリティ印刷（Ｐ）のマトリクスからなる有効印刷領域（ＥＦ）を表すサンプル印刷シート（Ｓ）を検査するように設計されており，」，及び
　「前記制御処理ユニット（４０）および前記ディスプレイ（３０）の接触感知領域（３１）は，前記タッチスクリーン型ディスプレイ上で選択すると，前記個々の多色セキュリティ印刷（Ｐ）の所望の１つまたはその任意の部分の上に前記可動センサビーム（２００）および前記センサヘッド（２１）を配置することができるように構成されている」となっている点でのみ，請求項１と相違している。
　したがって，前述した請求項１に係る本件発明１と引用発明１における相違点を踏まえて，請求項３に係る本件発明３と引用発明１を対比すると，本件発明３と引用発明１とは以下の点で相違する。
　相違点１
　本件発明３は「紙幣などの印刷されたセキュリティ文書」を測定対象としているのに対して，引用発明１では，どのような文書（被印刷体）であるのかが不明な点。
　相違点２
　本件発明３のディスプレイが，「サンプル印刷シートの上に可動センサビームおよびセンサヘッドを配置するための制御処理ユニットの入力として機能するよう構成された接触感知領域を有するタッチスクリーン型ディスプレイ」であるのに対して，引用発明１のモニタ５は少なくとも「タッチスクリーン型ディスプレイ」ではない点。
　相違点３
　本件発明３のディスプレイがタッチスクリーン型ディスプレイであることに起因して，本件発明３のタッチスクリーン型ディスプレイが，「装置が，複数の行及び列に配置された個々の多色セキュリティ印刷のマトリクスからなる有効印刷領域を表すサンプル印刷シートを検査するように設計」されているのに対して，引用発明１ではそうではない点。
　相違点４
　本件発明３のディスプレイがタッチスクリーン型ディスプレイであることに起因して，本件発明３のタッチスクリーン型ディスプレイが，「制御処理ユニットおよびディスプレイの接触感知領域は，タッチスクリーン型ディスプレイ上で選択すると，個々の多色セキュリティ印刷の所望の１つまたはその任意の部分の上に可動センサビームおよびセンサヘッドを配置することができるように構成」されているのに対して，引用発明１ではそうではない点。
　事案に鑑み，相違点４について検討する。
　引用文献２乃至８において，「タッチスクリーン型ディスプレイ（を有するシートのオフライン検査および色測定をする装置）」について記載も示唆もされていないから，当然に相違点４に係る本件発明１の発明特定事項についても記載も示唆もない。
　また，甲２号証には，印刷機における入力デバイスとしての「タッチスクリーン型ディスプレイ」について記載も示唆もないから，当然に相違点４に係る本件発明１の発明特定事項についても記載も示唆もなく，甲４，５号証において，印刷機における入力デバイスとして「タッチスクリーン型ディスプレイ」は記載されているものの，相違点４に係る本件発明１の発明特定事項については記載も示唆もない。
　そして，相違点４に係る本件発明１の発明特定事項は，本願出願前において周知技術であるともいえないし，当業者にとって設計的事項とする根拠もない。
　そして，本件発明１は，相違点３に係る本件発明１の発明特定事項を備えることによって，「「ユーザは，例えば第１オブジェクト２３が縦通路２０に沿って移動している間に，表示部１２に触れたまま指を比較的短い距離だけ動かすことによって，第１オブジェクト２３が他の横通路１９ｂまで移動した後に第１オブジェクト２３をＸｗ軸に沿った任意の方向に移動可能」となり「移動ユーザ操作の煩雑さが低減する」」（段落【００３１】）との作用効果を奏するものである。
　したがって，他の相違点について検討するまでもなく，請求項３に係る発明は，引用文献１乃至８に記載された各引用発明，また甲２，４及び５号証に記載された発明に基いて当業者が容易に発明をすることができたものではなく，請求項３に係る特許は特許法第２９条第２項の規定に違反してされたものではない。
　また，請求項４及び５はいずれも，本件発明３である請求項３に係る発明を引用しており，本件発明３が引用文献１乃至８に記載された各引用発明，また甲２，４及び５号証に記載された発明に基いて当業者が容易に発明をすることができたものではなく，請求項１に係る特許は特許法第２９条第２項の規定に違反してされたものではない以上，本件発明３に新たな発明特定事項を付加して限定した請求項４及び５に係る特許も，特許法第２９条第２項の規定に違反してされたものではない。
第４．むすび
　以上のとおりであるから，取消理由通知に記載した取消理由及び特許異議申立書に記載した特許異議申立理由によっては，本件請求項１乃至７，９，１０，１２乃至１８に係る特許を取り消すことはできない。
　また，他に本件請求項１乃至７，９，１０，１２乃至１８に係る特許を取り消すべき理由を発見しない。
　請求項８及び１１に係る特許は，訂正により削除されたため，本件特許の請求項８及び１１に対して特許異議申立人がした特許異議の申立てについては，対象となる請求項が存在しないことになり，却下された。
　よって，結論のとおり決定する。
【異議決定日】
平成３０年４月２４日（２０１８．４．２４）
【訂正の要旨】
審決（決定）の【理由】欄参照。
（５７）【特許請求の範囲】
　【請求項１】
　紙幣などの印刷されたセキュリティ文書を製造するために印刷されたシートのオフライン検査および色測定をする装置（１）において、当該装置が：
　サンプル印刷シート（Ｓ）を支持する支持面（１０ａ）を有するコンソール（１０）と；
　多目的測定装置（２０）であって、前記サンプル印刷シート（Ｓ）の選択部分の画像を撮影する少なくとも１のカメラ（２２）と、前記サンプル印刷シート（Ｓ）の選択位置で分光測色、比色測定、および／または濃度測定を実施する測色センサ（２３）とを含む複数のセンサ（２２、２３）を具えている多目的測定装置（２０）と；
　前記カメラ（２２）によって撮影された画像および前記測色センサ（２３）によって実施された測定結果を表示するためのディスプレイ（３０）と；
　前記多目的測定装置（２０）および前記ディスプレイ（３０）に接続された制御処理ユニット（４０）とを具えており、
　当該装置（１）は、前記多目的測定装置（２０）を収容する可動センサビーム（２００）を具え、当該可動センサビーム（２００）は前記コンソール（１０）の支持面（１０ａ）の上および前記支持面（１０ａ）上に配置された前記サンプル印刷シート（Ｓ）の表面全体の上をｘ軸に沿って移動することができ、前記複数のセンサ（２２、２３）は前記可動センサビーム（２００）内をｙ軸に沿って移動可能な共通のセンサヘッド（２１）に取り付けられており、これにより、前記多目的測定装置（２０）は前記カメラ（２２）によって前記サンプル印刷シート（Ｓ）の選択部分の画像を選択的に撮影する、あるいは前記測色センサ（２３）によって前記サンプル印刷シート（Ｓ）の選択位置で測定を実施することができ、
　前記制御処理ユニット（４０）は、ｘ軸に沿った前記可動センサビーム（２００）の移動およびｙ軸に沿った前記センサヘッド（２１）の移動を制御するように構成されており、
　前記ディスプレイ（３０）が、前記サンプル印刷シート（Ｓ）の上に前記可動センサビーム（２００）および前記センサヘッド（２１）を配置するための前記制御処理ユニット（４０）の入力として機能するよう構成された接触感知領域（３１）を有するタッチスクリーン型ディスプレイであり、
　前記タッチスクリーン型ディスプレイ（３０）がさらに、前記多目的測定装置（２０）の動作を制御し、様々な動作モード間で前記多目的測定装置（２０）を切り換えるためのインタフェースとして機能するよう構成され、前記動作モードは、前記カメラ（２２）が作動して前記サンプル印刷シート（Ｓ）の選択部分の画像を撮影する少なくとも１の画像取得モードと、前記測色センサ（２３）が作動して前記サンプル印刷シート（Ｓ）の選択位置で測定を実施する少なくとも１の測色モードとを含む
ことを特徴とする装置。
　【請求項２】
　請求項１に記載の装置において、前記可動センサビーム（２００）が前記支持面（１０ａ）に近接して配置された縦アームを形成し、前記可動センサビーム（２００）と前記支持面（１０ａ）の間の空間は数ミリメートルであって、
　前記支持面（１０ａ）と、その上に配置された前記サンプル印刷シート（Ｓ）に向かって前記可動センサビーム（２００）に下方開口部のみを残すように、前記センサヘッド（２１）および複数のセンサ（２２、２３）が前記可動センサビーム（２００）内に完全に囲まれていることを特徴とする装置。
　【請求項３】
　紙幣などの印刷されたセキュリティ文書を製造するために印刷されたシートのオフライン検査および色測定をする装置（１）において、当該装置が：
　サンプル印刷シート（Ｓ）を支持する支持面（１０ａ）を有するコンソール（１０）と；
　多目的測定装置（２０）であって、前記サンプル印刷シート（Ｓ）の選択部分の画像を撮影する少なくとも１のカメラ（２２）と、前記サンプル印刷シート（Ｓ）の選択位置で分光測色、比色測定、および／または濃度測定を実施する測色センサ（２３）とを含む複数のセンサ（２２、２３）を具えている多目的測定装置（２０）と；
　前記カメラ（２２）によって撮影された画像および前記測色センサ（２３）によって実施された測定結果を表示するためのディスプレイ（３０）と；
　前記多目的測定装置（２０）および前記ディスプレイ（３０）に接続された制御処理ユニット（４０）とを具えており、
　当該装置（１）は、前記多目的測定装置（２０）を収容する可動センサビーム（２００）を具え、当該可動センサビーム（２００）は前記コンソール（１０）の支持面（１０ａ）の上および前記支持面（１０ａ）上に配置された前記サンプル印刷シート（Ｓ）の表面全体の上をｘ軸に沿って移動することができ、前記複数のセンサ（２２、２３）は前記可動センサビーム（２００）内をｙ軸に沿って移動可能な共通のセンサヘッド（２１）に取り付けられており、これにより、前記多目的測定装置（２０）は前記カメラ（２２）によって前記サンプル印刷シート（Ｓ）の選択部分の画像を選択的に撮影する、あるいは前記測色センサ（２３）によって前記サンプル印刷シート（Ｓ）の選択位置で測定を実施することができ、
　前記制御処理ユニット（４０）は、ｘ軸に沿った前記可動センサビーム（２００）の移動およびｙ軸に沿った前記センサヘッド（２１）の移動を制御するように構成されており、
　前記ディスプレイ（３０）が、前記サンプル印刷シート（Ｓ）の上に前記可動センサビーム（２００）および前記センサヘッド（２１）を配置するための前記制御処理ユニット（４０）の入力として機能するよう構成された接触感知領域（３１）を有するタッチスクリーン型ディスプレイであり、
　当該装置（１）が、複数の行及び列（図２）に配置された個々の多色セキュリティ印刷（Ｐ）のマトリクスからなる有効印刷領域（ＥＦ）を表すサンプル印刷シート（Ｓ）を検査するように設計されており、
　前記制御処理ユニット（４０）および前記ディスプレイ（３０）の接触感知領域（３１）は、前記タッチスクリーン型ディスプレイ上で選択すると、前記個々の多色セキュリティ印刷（Ｐ）の所望の１つまたはその任意の部分の上に前記可動センサビーム（２００）および前記センサヘッド（２１）を配置することができるように構成されていることを特徴とする装置。
　【請求項４】
　請求項３に記載の装置（１）において、前記タッチスクリーン型ディスプレイ（３０）がさらに、前記多目的測定装置（２０）の動作を制御し、様々な動作モード間で前記多目的測定装置（２０）を切り換えるためのインタフェースとして機能するよう構成されており、
　前記動作モードは、前記カメラ（２２）が作動して前記サンプル印刷シート（Ｓ）の選択部分の画像を撮影する少なくとも１の画像取得モードと、前記測色センサ（２３）が作動して前記サンプル印刷シート（Ｓ）の選択位置で測定を実施する少なくとも１の測色モードとを含むことを特徴とする装置。
　【請求項５】
　請求項３または４に記載の装置において、前記可動センサビーム（２００）が前記支持面（１０ａ）に近接して配置された縦アームを形成し、前記可動センサビーム（２００）と前記支持面（１０ａ）の間の空間は数ミリメートルであって、
　前記支持面（１０ａ）と、その上に配置された前記サンプル印刷シート（Ｓ）に向かって前記可動センサビーム（２００）に下方開口部のみを残すように、前記センサヘッド（２１）および複数のセンサ（２２、２３）が前記可動センサビーム（２００）内に完全に囲まれていることを特徴とする装置。
　【請求項６】
　請求項１乃至５の何れか一項に記載の装置（１）において、
　前記カメラ（２２）は、白色可視光、赤外（ＩＲ）光、および紫外（ＵＶ）光の下で前記サンプル印刷シート（Ｓ）の選択部分の画像を撮影することができ、前記カメラ（２２）の動作モードは、可視光動作モード、赤外動作モード、および紫外動作モードの間で選択的に切り換えることができ（図５ｆ−５ｋ）、
　前記多目的測定装置（２０）はさらに、前記カメラ（２２）の動作モードに依存して個々に作動する複数の光源（２４、２５、２６）を具え、これらの光源は、白色光で前記サンプル印刷シート（Ｓ）を照射する第１の光源（２４）と、赤外（ＩＲ）光で前記サンプル印刷シート（Ｓ）を照射する第２の光源（２５）と、紫外（ＵＶ）光で前記サンプル印刷シート（Ｓ）を照射する第３の光源（２６）とを含むことを特徴とする装置。
　【請求項７】
　請求項１乃至６の何れか一項に記載の装置（１）において、前記カメラ（２２）はカラーカメラ、好適にはＲＧＢカメラであって、前記カメラ（２２）によって取り込まれた画像の色成分の各１つは任意に、前記ディスプレイ（３０）において個々にかつ別個に表示することができることを特徴とする装置。
　【請求項８】
　
（削除）
　【請求項９】
　請求項
１乃至７
　【請求項１０】
　請求項９に記載の装置（１）において、一定許容範囲内の前記サンプル印刷シート（Ｓ）の回転は、前記可動センサビーム（２００）がｘ軸に沿って移動するときに前記カメラ（２２）で撮影される画像のｙ方向位置を調整することによって補正されることを特徴とする装置。
　【請求項１１】
　
（削除）
　【請求項１２】
　請求項
１乃至７、９、１０
　前記色制御フィールド（ＣＦ）は、印刷時に前記サンプル印刷シート（Ｓ）に適用された様々なインクを表す（図２−４および５ｃ）ことを特徴とする装置。
　【請求項１３】
　請求項１２に記載の装置（１）において、前記制御処理ユニット（４０）が、前記測色センサ（２３）を制御し、前記色制御フィールド（ＣＦ）において自動で色測定を実施するように構成されていることを特徴とする装置。
　【請求項１４】
　請求項
１乃至７、９、１０、１２、１３
　前記色制御フィールド（ＣＦ）は、印刷時に前記サンプル印刷シート（Ｓ）に適用された様々なインクを表しており（図２−４）、
　前記サンプル印刷シート（Ｓ）および前記色制御フィールド（ＣＦ）に適用された様々なインクに対応する規定の色が、セットアップ時に予め規定されて前記制御処理ユニット（４０）に入力され、前記サンプル印刷シート（Ｓ）を印刷するのに使用された印刷機の対応するインクユニット（Ｉ１−Ｉ１２、Ｉ１３−Ｉ２０、図５ｂ）に割り当てられることを特徴とする装置。
　【請求項１５】
　紙幣などの印刷されたセキュリティ文書を製造するために印刷されたシートのオフライン検査および色測定をする装置（１）において、当該装置が：
　サンプル印刷シート（Ｓ）を支持する支持面（１０ａ）を有するコンソール（１０）と；
　多目的測定装置（２０）であって、前記サンプル印刷シート（Ｓ）の選択部分の画像を撮影する少なくとも１のカメラ（２２）と、前記サンプル印刷シート（Ｓ）の選択位置で分光測色、比色測定、および／または濃度測定を実施する測色センサ（２３）とを含む複数のセンサ（２２、２３）を具えている多目的測定装置（２０）と；
　前記カメラ（２２）によって撮影された画像および前記測色センサ（２３）によって実施された測定結果を表示するためのディスプレイ（３０）と；
　前記多目的測定装置（２０）および前記ディスプレイ（３０）に接続された制御処理ユニット（４０）とを具えており、
　当該装置（１）は、前記多目的測定装置（２０）を収容する可動センサビーム（２００）を具え、当該可動センサビーム（２００）は前記コンソール（１０）の支持面（１０ａ）の上および前記支持面（１０ａ）上に配置された前記サンプル印刷シート（Ｓ）の表面全体の上をｘ軸に沿って移動することができ、前記複数のセンサ（２２、２３）は前記可動センサビーム（２００）内をｙ軸に沿って移動可能な共通のセンサヘッド（２１）に取り付けられており、これにより、前記多目的測定装置（２０）は前記カメラ（２２）によって前記サンプル印刷シート（Ｓ）の選択部分の画像を選択的に撮影する、あるいは前記測色センサ（２３）によって前記サンプル印刷シート（Ｓ）の選択位置で測定を実施することができ、
　前記制御処理ユニット（４０）は、ｘ軸に沿った前記可動センサビーム（２００）の移動およびｙ軸に沿った前記センサヘッド（２１）の移動を制御するように構成されており、
　前記制御処理ユニット（４０）が、前記測色センサ（２３）を制御し、前記サンプル印刷シート（Ｓ）上に設けられた色制御フィールド（ＣＦ）において色測定を実施するように構成され、
　前記色制御フィールド（ＣＦ）は、印刷時に前記サンプル印刷シート（Ｓ）に適用された様々なインクを表しており（図２−４）、
　前記サンプル印刷シート（Ｓ）および前記色制御フィールド（ＣＦ）に適用された様々なインクに対応する規定の色が、セットアップ時に予め規定されて前記制御処理ユニット（４０）に入力され、前記サンプル印刷シート（Ｓ）を印刷するのに使用された印刷機の対応するインクユニット（Ｉ１−Ｉ１２、Ｉ１３−Ｉ２０、図５ｂ）に割り当てられ、
　前記制御処理ユニット（４０）が、前記サンプル印刷シート（Ｓ）の印刷前のデータに基づいて、あるいは前記多目的測定装置（２０）によって前記色制御フィールド（ＣＦ）に実施される測定に基づいて、前記規定の色を対応する色制御フィールド（ＣＦ）に自動的に割り当てるよう構成されていることを特徴とする装置。
　【請求項１６】
　請求項
１乃至７、９、１０、１２乃至１５
　【請求項１７】
　請求項
１乃至７、９、１０、１２乃至１６
　【請求項１８】
　請求項
１乃至７、９、１０、１２乃至１７